(57)【要約】【課題】中間重量物の滞留を防止することで、選別処理の安定性の低下を防止することができる風力選別機を提供する。【解決手段】風力により混合廃棄物を選別する風力選別機において、内部に掻き上げ板２４ａ，２４ｂ，２４ｃを有し、回転自在に支持された本体回転ドラム１と、この本体回転ドラム１の傾斜方向下側の側面に設けた軽量物排出口２１と、この軽量物排出口２１の外周側を覆うカバー部材１９と、このカバー部材１９に混合廃棄物を投入する投入口２２を形成し、この投入口２２に臨むようにカバー部材１９に設けた投入ホッパ４とを備える。【選択図】  図１
2004305951.tif 000002
【特許請求の範囲】
【請求項１】
風力により混合物を選別する風力選別機において、
内部に掻き上げ手段を有し、回転自在に支持された筒状部材と、
この筒状部材の長手方向一方側に設けた送風機と、
前記筒状部材の長手方向他方側の側面に設けた軽量物の排出口と、
この排出口の外周側を覆うカバー部材と、
このカバー部材に混合物を投入する投入口を形成し、この投入口に臨むように前記カバー部材に設けた投入ホッパと
を備えたことを特徴とする風力選別機。
【請求項２】
請求項１記載の風力選別機において、前記送風機からの空気流の流径を前記排出口とほぼ同径とするように前記筒状部材内に流路形成ブロックを設けたことを特徴とする風力選別機。
【請求項３】
請求項１又は２記載の風力選別機において、前記投入口の前記送風機側に庇部材を設けたことを特徴とする風力選別機。
【請求項４】
請求項１乃至３のいずれか１項記載の風力選別機において、前記筒状部材は前記送風機側が低くなるように傾倒可能に支持されていることを特徴とする風力選別機。
【発明の詳細な説明】
【０００１】
【発明の属する技術分野】
本発明は、混合物中に含まれる様々な物を、風力を用いてその重量に応じて選別する風力選別機に関するものである。
【０００２】
【従来の技術】
一般に、産業廃棄物は事業活動に伴って生じることから特別な性状のものが大量に発生する場合が多く、例えば建築物の解体現場では、石、コンクリート塊、木材片、ガラス片、壁土、新建材、金具等が細かいばらものとなった解体屑又はミンチと称するそれらの混合物が粗大廃棄物と混在した混合廃棄物が発生する。この混合廃棄物中には、上記以外にも、廃プラスチック類、ゴムくず、がれき類等が含まれる場合も多い。
【０００３】
昨今、建設副産物の再利用の気運の高まりから、分別解体の推奨や分別搬出の義務付けがなされようとしている。このような背景から、上記のような混合廃棄物の分別を行うために、風力を用いて廃棄物の選別を行う風力選別機が従来より知られている（例えば、特許文献１参照。）。この従来技術の風力選別機は、傾倒自在に支持された筒状部材（選別機本体）と、この筒状部材の略中央部に設けた投入口と、上記筒状部材の傾斜方向下側に設けた送風機（風供給手段）とを備えており、投入口から投入された混合廃棄物（被処理物）に送風機が生起する空気流を吹き付けることで、混合廃棄物中の軽量物については空気流に乗せて筒状部材の傾斜方向上側から排出し、空気流に乗らず筒状部材内を傾斜方向下側に流れる重量物については筒状部材の傾斜方向下側から排出する。このようにして、混合廃棄物中の重量物と軽量物とを風力により選別するようになっている。
【０００４】
【特許文献１】
特開２００１−３００４２７号公報
【０００５】
【発明が解決しようとする課題】
しかしながら、上記従来技術では以下のような課題が存在する。
すなわち、上記従来技術では、ホッパに投入された混合物が投入口から筒状部材内を流れる空気流内に落下するため、投入された混合廃棄物中に空気流による風力と重力による傾斜方向下側への落下力とが釣り合う中間重量物が存在する場合、その中間重量物は筒状部材内の投入口付近に滞留してしまうことになる。そして、この中間重量物の滞留が増加すると、軽量物の排出効率が低下したり、筒状部材内を流れる空気流が撹乱されて投入口から逆流して、混合廃棄物の投入が阻害されたりして、安定した選別処理ができなくなる恐れがある。
【０００６】
本発明は、上記従来技術の問題に鑑みてなされたものであり、その目的は、中間重量物の滞留を防止することで、選別処理の安定性の低下を防止することができる風力選別機を提供することにある。
【０００７】
【課題を解決するための手段】
（１）上記目的を達成するために、本発明は、風力により混合物を選別する風力選別機において、内部に掻き上げ手段を有し、回転自在に支持された筒状部材と、この筒状部材の長手方向一方側に設けた送風機と、前記筒状部材の長手方向他方側の側面に設けた軽量物の排出口と、この排出口の外周側を覆うカバー部材と、このカバー部材に混合物を投入する投入口を形成し、この投入口に臨むように前記カバー部材に設けた投入ホッパとを備えるものとする。
【０００８】
本発明の風力選別機においては、例えば筒状部材を傾倒させた状態で、投入口から投入され筒状部材内を長手方向一方側（すなわち傾斜方向下側。以下、傾斜方向下側）へ移動する混合物に対し、送風機で生起した空気流を吹き付ける。これにより、混合物中の軽量物はその空気流に乗って長手方向他方側（すなわち傾斜方向上側。以下、傾斜方向上側）に設けた軽量物の排出口より排出され、混合物中の重量物は筒状部材の傾斜方向下側より排出される。このようにして、重量物と軽量物とが選別される。
【０００９】
このとき、前述した従来技術のように投入口が筒状部材の略中央部に設けられホッパに投入された混合物が筒状部材内を流れる空気流内に落下するような構造の場合、投入された混合物中に空気流による風力と重力による傾斜方向下側への落下力とが釣り合う中間重量物が存在すると、その中間重量物は筒状部材内の投入口付近に滞留してしまうことになる。そして、この中間重量物の滞留が増加すると、軽量物の排出効率が低下したり、筒状部材内を流れる空気流が撹乱されて投入口から逆流して、混合物の投入が阻害されたりして、安定した選別処理ができなくなる恐れがある。
【００１０】
これに対し、本発明においては、軽量物の排出口の外周側を覆うカバー部材に混合物を投入する投入口を形成し、この投入口に臨むようにカバー部材に投入ホッパを設ける。ここで、筒状部材が例えばその内部に排出口の口径とほぼ同じ内径を有する流路形成ブロックを備える場合、送風機からの空気流は上記流路形成ブロックを通過しつつ排出口の口径とほぼ同じ流径を保持した状態で筒状部材内を流れ、排出口から流出する。これにより、軽量物の排出口の外周側を覆うカバー部材に形成された投入口は空気流の流径外に位置することになるため、投入口から筒状部材内に投入された混合物には空気流が直接吹き付けられず、混合物が上記中間重量物を含む場合であってもその中間重量物が投入口付近で滞留するのを防止することができる。したがって、中間重量物の滞留により軽量物の排出効率が低下したり、筒状部材内を流れる空気流が撹乱され投入口から逆流して混合物の投入が阻害されたりするのを防止することができるので、中間重量物の滞留による選別処理の安定性の低下を防止することができる。
【００１１】
（２）上記（１）において、好ましくは、前記送風機からの空気流の流径を前記排出口とほぼ同径とするように前記筒状部材内に流路形成ブロックを設けるものとする。
【００１２】
（３）上記（１）又は（２）において、また好ましくは、前記投入口の前記送風機側に庇部材を設けるものとする。
これにより、筒状部材内を流れる空気流が投入口へ流入するのを防止できるので、選別処理の安定性の低下をさらに確実に防止することができる。
【００１３】
（４）上記（１）乃至（３）のいずれか１つにおいて、また好ましくは、前記筒状部材は前記送風機側が低くなるように傾倒可能に支持されているものとする。
【００１４】
【発明の実施の形態】
以下、本発明の風力選別機の一実施の形態を図１乃至図６を参照しつつ説明する。
図１は本発明の風力選別機の一実施の形態の全体構造を一部断面で表す側面図であり、図２はこの風力選別機を図１中矢印Ａ方向から見た矢視正面図である。また、図３は図１中ＩＩＩ−ＩＩＩ断面による横断面図、図４は図１中ＩＶ−ＩＶ断面による横断面図である。これら図１乃至図４において、１は本体回転ドラム（筒状部材）、２は本体回転ドラム１を回転駆動する本体回転ドラム駆動モータ、３は本体回転ドラム１の長手方向一方側（図１中左側）に設けたブロワ（送風機）、４は本体回転ドラム１の長手方向他方側（図１中右側）に設けられ、投入される混合廃棄物を受け入れるための投入ホッパ、５は本体支持フレーム、６はベースフレーム、７は動力制御盤である。
【００１５】
本体支持フレーム５は、ピン１０を介してベースフレーム６に対して傾倒自在に接続されている。１１はその傾動動作用のシリンダ（例えば電動シリンダ、油圧シリンダ等）であり、一端側（図１中下側）がピン１２を介しベースフレーム６に設けたブラケット１３に回動自在に接続されており、他端側（図１中上側）がピン１４を介し本体支持フレーム５に設けたブラケット１５に回動自在に接続されている。このような構造により、シリンダ１１の伸縮動作によって本体回転ドラム１をピン１０を回動支点として傾動させ、所望の傾斜角度（＝任意の傾斜状態、但し水平状態を含む）に保持可能となっている。なお、シリンダ１１を用いず、チェーンブロック等の別途の支持手段で所望の傾斜角度に支持するようにしてもよい。
【００１６】
本体回転ドラム１は、詳細な支持構造の図示及び説明を省略するが、回転ドラム支持ローラ１６ａ，１６ｂを介して本体支持フレーム５に対し回転自在に支持されており、図１中右側の回転ドラム支持ローラ１６ｂに上述の回転ドラム駆動モータ（電動モータ、又は油圧モータ、あるいはエンジン直結でもよい。また可変速として回転速度を自在に調節できるようにしてもよい）２の駆動力が伝達されることにより、本体回転ドラム１はその軸心線（図示省略）まわりに回転駆動されるようになっている。
【００１７】
また、１７は本体回転ドラム１の外郭を構成し、長手方向両側（図１中左右側）が開口した略円筒形状のドラム本体、１８はこのドラム本体１７の長手方向一方側（図１中左側）の開口Ｏ１を覆うようにドラム本体１７とわずかな隙間を介在して設けたカバー部材、１９はドラム本体１７の長手方向他方側（図１中右側）の開口Ｏ２を覆うようにドラム本体１７とわずかな隙間を介在して設けたカバー部材である。上記カバー部材１８，１９はそれぞれ後述の送風ダクト３１、排出ダクト２７等を介して本体支持フレーム５に固定支持されているが、上記のようにドラム本体１７とわずかな隙間を介して配置されているため、ドラム本体１７の回転駆動を阻害しないようになっている。
【００１８】
２０はカバー部材１８の下部に設けた重量物排出口、２１はカバー部材１９の略中央部に設けた軽量物排出口、２２はカバー部材１９の上記開口Ｏ２より内側且つ上記軽量物排出口１９より外側である領域、すなわちドラム本体１７の内径（言い換えれば開口Ｏ２の口径）Ｒと上記軽量物排出口２１の口径ｒとの間の径方向領域のうち、軽量物排出口２１の側方一方側（図４中左側）に設けた廃棄物投入用の投入口であり（図４参照）、この投入口２２に前記の投入ホッパ４が接続されている。図５はこの投入ホッパ４と投入口２２との接続部の構造を表した斜視図である。
【００１９】
この図５に示すように、投入ホッパ４は上方に向かって拡開した形状をしており、その下端部は上記したように投入口２２に臨むようにして、カバー部材１９の外周面１９ａに後述の排出ダクト２７と干渉しないように設けられている。また、３５はカバー部材１９の内側（すなわち内周面）に設けた庇部材であり、投入口２２の本体回転ドラム回転方向（図５中矢印ア方向）上流側を覆う庇部３５ａと、投入口２２の径方向中心側（すなわち軽量物排出口２１側）を覆う側壁部３５ｂとから構成されている。
【００２０】
また、２３ａ，２３ｂ，２３ｃはこの順序で上記軽量物排出口２１から重量物排出口２０側に間隔をおいてそれぞれ配列した流路形成ブロックであり、それぞれ略円環状形状を有し、その外周面がドラム本体１７の内周面に密着するように固定されている（図３も参照）。なお、これら流路形成ブロック２３ａ，２３ｂ，２３ｃの内径は、上記軽量物排出口２１の口径ｒとほぼ等しくなっている（又は口径ｒより若干小さくてもよい）。２４ａ，２４ｂ，２４ｃはそれぞれ、流路形成ブロック２３ａの軽量物排出口２１側、流路形成ブロック２３ａ，２３ｂの間、流路形成ブロック２３ｂ，２３ｃの間に設けた掻き上げ板であり、各掻き上げ板２４はそれぞれドラム本体１７内周面の円周方向複数箇所（本実施の形態では４箇所、但し数及びピッチは導入する最大廃棄物大きさを考慮し、廃棄物が掻き上げ板２４，２４間に挟み込まれ固まって不動とならないようにする）に所定ピッチで配列固定されている（図３参照）。このような構造によって、本体回転ドラム１内の流路には、流路形成ブロック２３ａ，２３ｂ，２３ｃの内周側には他の部分よりも流路断面積が小さな小径部２５Ａ，２５Ｂ，２５Ｃがそれぞれ形成されるとともに、小径部２５Ａと軽量物排出口２１との間、小径部２５Ａ，２５Ｂの間、小径部２５Ｂ，２５Ｃの間、小径部２５Ｃと重量物排出口２０との間に、大径部２６Ａ，２６Ｂ，２６Ｃ，２６Ｄがそれぞれ形成される。言い換えれば、これら小径部２５Ａ，２５Ｂ，２５Ｃ及び大径部２６Ａ，２６Ｂ，２６Ｃ，２６Ｄは、ドラム本体１７内に、その長手方向に沿って、軽量物排出口２１から重量物排出口２０に向けて、大径部２６Ａ、小径部２５Ａ、大径部２６Ｂ、小径部２５Ｂ、大径部２６Ｃ、小径部２５Ｃ、大径部２６Ｄの順で交互に配置されている。
【００２１】
なお、投入口２２から導入された混合廃棄物（特に重量物）はドラム本体１７内をその長手方向に図１中左側（言い換えれば重量物排出口２０側）に流れるが、このとき、各流路形成ブロック２３ａ，２３ｂ，２３ｃの投入口２２側（図１中右側）壁面２３ａＡ，２３ｂＡ，２３ｃＡは、その流れる混合廃棄物を対応する小径部２５Ａ，２５Ｂ，２５Ｃの手前で捕捉する役割を果たす。また、前述の掻き上げ板２４ａ，２４ｂ，２４ｃはそれぞれ、上記各流路形成ブロック壁面２３ａＡ，２３ｂＡ，２３ｃＡで捕捉された混合廃棄物を本体回転ドラム１の回転と共にその回転方向に掻き上げて同伴させる掻き上げ手段として機能するようになっている。また、流路形成ブロック２３ｃの重量物排出口２０側（図１中左側）壁面２３ｃＢはテーパ形状となっており、ここまで到達した重量物が重量物排出口２０まで自重ですばやく円滑に転げ落ちるように便宜が図られている。
【００２２】
２７は、一端側が前記のカバー部材１９の軽量物排出口２１に接続され、他端側が風力選別機外方（図１中右方向）に向かって開口した排出ダクトである。この排出ダクト２７は、カバー部材１９の外周面１９ａから本体回転ドラム１の長手方向他方側（図１中右側）に突出するように延設されており、本体支持フレーム５に固定された支持部材２８によって支持されている。前記ブロワ３の生起する空気流に乗った混合廃棄物中の軽量物は、この排出ダクト２７を介して機外へ排出されるようになっている。
【００２３】
ブロワ３は、本体支持フレーム５の傾斜方向下側端部（図１中左側端部）近傍に支持部材２９を介して固定されており、ブロワ駆動モータ３０によって駆動され、混合廃棄物中の軽量物を重量物から選別し搬送するための空気流を生起する。３１はブロワ３の出口側に接続された送風ダクト、３２はカバー部材１８の略中央部に設けられた略円形のダクトガードである。このダクトガード３２は例えば格子状となっており、送風ダクト３１からの空気流に例えば粗大な異物が混入している場合等に、その異物が本体回転ドラム１内へ流入しないようにブロックするフィルタの役目を果たしている。また、３３は送風ダクト３１に連続するようにカバー部材１８の内周面から延設された送風フードであり、ブロワ３で生起された空気流は、送風ダクト３１、送風フード３３を介して本体回転ドラム１内に供給される。３４は前記カバー部材１８の重量物排出口２０に接続された排出シュートであり、上記送風フード３３は、大径部２６Ｄのうち重量物を排出する排出シュート３４側の領域（すなわち下方側の領域）には開口部３３Ａを重量物排出口２０に臨むように設けて重量物を排出可能とする一方、排出シュート３４と反対側の領域（すなわち上方側の領域）を仕切ってそちらには空気流や重量物が流れないようにする役割を果たしている。
【００２４】
動力制御盤７は、上記ブロワ駆動モータ３０等に電源を供給する役割を果たすと共に、そのブロワ駆動モータ３０の運転・停止スイッチ、前記の本体回転ドラム１を回転駆動する本体回転ドラム駆動モータ２の起動・停止スイッチ、及び本体支持フレーム５の傾動動作用シリンダ１１の伸長・縮短スイッチ等の操作スイッチを有した操作盤（図示せず）を備えている。
【００２５】
次に、上記構成の本発明の風力選別機の一実施の形態の動作及び作用を以下に説明する。なお、以下の説明では、混合廃棄物中に含まれる重量物をＨ、中間重量物をＭ、軽量物をＬとする（図１参照）。
上記構成の風力選別機において、図１に示すようにシリンダ１１を伸長させて本体回転ドラム１の投入口２２側が高くなるように本体支持フレーム５を傾斜させ保持した後、本体回転ドラム駆動モータ２を駆動すると、回転ドラム支持ローラ１６ａ，１６ｂを介し本体回転ドラム１はその軸心線まわりに回転する。そしてブロワ駆動モータ３０を駆動すると、ブロワ３から空気流が生起されて送風ダクト３１、送風フード３３を介し本体回転ドラム１内に供給され、小径部２５Ｃ，２５Ｂ，２５Ａを通過して、軽量物排出口２１を介して排出ダクト２７から機外に吹き出される。なおこのとき、前述したように小径部２５Ｃ，２５Ｂ，２５Ａの内径が軽量物排出口２１の口径ｒとほぼ同径（又は若干小さい）であることから、本体回転ドラム１内において空気流は軽量物排出口２１の口径ｒとほぼ同じ流径を保持した状態で流れ、軽量物排出口２１に流入する。
【００２６】
この状態で、例えばコンクリート塊、木材片、ガラス片、がれき類等の重量物Ｈやビニールシート、又は紐状若しくはフィルム状の物等の軽量物Ｌが混在した混合廃棄物を投入ホッパ４に投入すると、この混合廃棄物は投入口２２から本体回転ドラム１内の大径部２６Ａに導入される。
【００２７】
このとき、前述した従来技術のように投入口２２が本体回転ドラム１の略中央部に設けられ投入ホッパ４に投入された混合廃棄物が本体回転ドラム１内を流れる空気流内に落下するような構造の場合、投入された混合廃棄物中に空気流による風力と重力による傾斜方向下側への落下力とが釣り合う中間重量物Ｍが存在すると、その中間重量物Ｍは本体回転ドラム１内の投入口２２付近に滞留してしまうことになる。そして、この中間重量物Ｍの滞留が増加すると、軽量物Ｌの排出効率が低下したり、本体回転ドラム１内を流れる空気流が撹乱されて投入口２２から逆流して、混合廃棄物の投入が阻害されたりして、安定した選別処理ができなくなる恐れがある。
【００２８】
これに対し、本実施の形態においては、投入口２２をカバー部材１９の開口Ｏ２より内側且つ軽量物排出口２１より外側である領域（すなわちドラム本体１７の内径Ｒと軽量物排出口２１の口径ｒとの間の径方向領域）に設ける。この結果、投入口２２は口径ｒとほぼ同じ流径を保持した状態で本体回転ドラム１内を流れる空気流の流径外に位置することとなるため、投入口２２から本体回転ドラム１内に投入された混合廃棄物には空気流が直接吹き付けられず、混合廃棄物が中間重量物Ｍを含む場合であってもその中間重量物Ｍが投入口２２付近で滞留するのを防止することができる。したがって、本実施の形態によれば、中間重量物Ｍの滞留により軽量物Ｌの排出効率が低下したり、本体回転ドラム１内を流れる空気流が撹乱されて投入口２２から逆流して、混合廃棄物の投入が阻害されたりするのを防止することができるので、中間重量物Ｍの滞留による選別処理の安定性の低下を防止することができる。さらに本実施の形態においては、本体回転ドラム１を回転駆動する。すなわち、通常、中間重量物Ｍがそれに作用する風力と重力とが釣り合うことにより本体回転ドラム１内に滞留する場合、ドラム本体１７の内周面に接した状態で留まるが、本実施の形態によれば本体回転ドラム１を回転駆動することにより滞留しようとする中間重量物Ｍをドラム本体１７の内周面から引き剥がし、軽量物Ｌと共に空気流に乗せて排出ダクト２７から排出（又は重量物Ｈと共に排出シュート３４から排出）することができる。これにより、混合廃棄物中の中間重量物Ｍが投入口２２付近で滞留するのを確実に防止することができる。またさらに、本実施の形態によれば、カバー部材１９の内周面に投入口２２のブロワ３側を覆うように庇部材３５を設ける。これにより、本体回転ドラム１内を流れる空気流が投入口２２を介して投入ホッパ４に流入し機外に逆流するのを防止できるので、選別処理の安定性の低下をさらに確実に防止することができる。
【００２９】
このようにして、投入口２２から本体回転ドラム１内の大径部２６Ａの空気流径外領域（言い換えれば、大径部２６Ａの流路形成ブロック２３ａの内径とドラム本体１７の内径Ｒとの間の径方向領域）に投入された混合廃棄物は、自重によってドラム本体１７の内周面に沿って傾斜方向下側（本体回転ドラム１の長手方向一方側、図１中左側）に向かって転がるようにして流れていく。このとき、上記したようにブロワ３からの空気流は混合廃棄物を直接吹き付けはしないが、そのエジェクタ効果により一部の軽量物Ｌ（又は中間重量物Ｍ）はこの空気流に乗って（風力によって）選別され、排出ダクト２７から機外に排出される。
【００３０】
その後、ドラム本体１７の内周面を傾斜方向下側に流れる混合廃棄物は、この流れ方向（＝空気流方向とは逆になる）最上流側の流路形成ブロック２３ａの壁面２３ａＡによって一旦捕捉され滞留する。このとき、壁面２３ａＡの手前側（図１中右側）の大径部２６Ａには周方向複数箇所に掻き上げ板２４ａが設けられていることから、上記捕捉された混合廃棄物は、掻き上げ板２４ａ，２４ａの間に滞留する。この結果、本体回転ドラム１が回転していることから、捕捉された混合廃棄物は掻き上げ板２４ａによってその回転方向に掻き上げて同伴され、高さ方向に大きく持ち上げられた後に重力で落下する。この落下時に混合廃棄物は小径部２５Ｃ，２５Ｂ，２５Ａを通過してくる空気流の流径内に進入するため、空気流に直接吹き付けられて、混合廃棄物中の大部分の軽量物Ｌはこの空気流に乗って（風力によって）選別され、排出ダクト２７から機外に排出される。また、混合廃棄物中の中間重量物Ｍについても、上記したように本体回転ドラム１の回転によってその一部は軽量物Ｌと共に空気流に乗って排出ダクト２７から機外に排出される。一方、混合廃棄物中の重量物Ｈは空気流には乗らず（重力によって風力に打ち勝ち）、選別されなかった残りの軽量物Ｌ及び中間重量物Ｍとともに（その意味では正確には重量物Ｈと中間重量物Ｍと軽量物Ｌとの混合廃棄物である）落下することにより攪拌され解きほぐされ、その一部は再度掻き上げ板２４ａによって掻き上げられ、また一部は小径部２５Ａに流入して流路形成ブロック２３ａを乗り越える。このようにして、投入された混合廃棄物中の重量物Ｈ（選別されなかった残りの軽量物Ｌ及び中間重量物Ｍを含む）は徐々に小径部２５Ａを通過して次の大径部２６Ｂに流入する。
【００３１】
以下同様に、流入した重量物Ｈは再び流路形成ブロック２３ｂの壁面２３ｂＡによって捕捉されて大径部２６Ｂに設けた掻き上げ板２４ｂ，２４ｂの間に滞留し、本体回転ドラム１の回転と共に掻き上げ板２４ｂによって持ち上げられた後に落下して解きほぐされ、流路形成ブロック２３ｂを乗り越えつつ小径部２５Ｂを通過し、次の大径部２６Ｃに流入する。さらに重量物Ｈは再び流路形成ブロック壁面２３ｃＡによって捕捉されて掻き上げ板２４ｃによって持ち上げられた後に落下して解きほぐされ、流路形成ブロック２３ｃを乗り越え小径部２５Ｃを通過し、最終段の大径部２６Ｄに流入する。以上のような過程で軽量物Ｌ及び中間重量物Ｍが十分に分離された重量物Ｈは、大径部２６Ｄから重量物排出口２０、さらに排出シュート３４を介し、機外に排出される。一方、重量物Ｈから分離された軽量物Ｌは、ブロワ３によって本体回転ドラム１内を吹き通されている空気流により、重量物Ｈの流れとは逆に、傾斜を上る方向（図１中右側）へと搬送され、軽量物排出口２１を介し排出ダクト２７を経て機外へと排出される。他方、中間重量物Ｍについては、一部は重量物Ｈと共に排出シュート３４から、又一部は軽量物Ｌと共に排出ダクト２７から排出される。
【００３２】
このように、本実施の形態によれば、大径部２６に滞留→掻き上げ板２４で持ち上げて落下→流路形成ブロック２３乗り越えて小径部２５通過→次の大径部２６に流入、という挙動を繰り返させることにより、例えば投入された混合廃棄物中に石、がれき等の重量物Ｈにビニールシート又は紐状若しくはフィルム状の軽量物Ｌが強固に絡み合って形成した塊等が含まれている場合であっても、その塊を確実に解きほぐし、軽量物Ｌを重量物Ｈから剥がし取り分離することができる。また、小径部２５を通過し各流路形成ブロック２３を乗り越えるとき、各ブロック２３のエッジによって軽量物Ｌを剥がしとる効果もある。さらに、小径部２５においては、大きな重量物Ｈがここを通過するときには実質的な空気流通過断面積が減少して空気流速が増大し、その速い空気流によって塊状となったものから軽量物Ｌを剥がし取り分離促進することができる。なお、この空気流の流速増大は、軽量物Ｌが傾斜方向下側（重量物排出口２０側）に落ちていくのを確実に防止できる効果もある。またさらに、大径部２６及び小径部２５の繰り返しの段差により、重量物Ｈが本体回転ドラム１内をあまりに早く流れすぎるのを防止し、滞留時間を長くして選別機能を確保する作用もある。このように、本実施の形態によれば選別性能を向上でき、さらに上記のような塊等を含む混合物をも選別可能とするので、選別対象物の範囲を拡大する効果をも得ることができる。
【００３３】
なお、上記本発明の風力選別機の一実施の形態においては、投入口２２を軽量物排出口２１の側方一方側（図４中左側）に設けるようにしたが、これに限らず、図６に示すように例えば投入口２２を軽量物排出口２１の両側に設け、それら投入口２２，２２に下端部を二股に分岐させた投入ホッパ４′を接続するようにしてもよい。すなわち、投入口２２をカバー部材１９の開口Ｏ２より内側且つ軽量物排出口２１より外側である領域（言い換えればドラム本体１７の内径Ｒと軽量物排出口２１の口径ｒとの間の径方向領域）内に設けるようにしさえすれば、上記本発明の一実施の形態と同様の効果を得ることができる。
【００３４】
また、上記本発明の風力選別機の一実施の形態においては、本体回転ドラム１を傾斜させることにより、投入口２２から投入した混合廃棄物に重力による落下力を与えて傾斜方向下側に運びつつその選別処理を行うようにしたが、これに限らない。すなわち、例えば掻き上げ板２４ａ，２４ｂ，２４ｃを本体回転ドラム１内において重量物排出口２０側に傾斜させて設けることで、本体回転ドラム１が略水平に支持された状態であっても、その回転により上記傾斜した掻き上げ板２４ａ，２４ｂ，２４ｃが混合廃棄物を重量物排出口２０側に運ぶようにすることができることから、このように本体回転ドラム１を略水平にして選別処理を行うようにしてもよい。
【００３５】
【発明の効果】
本発明によれば、投入口をカバー部材の開口より内側且つ軽量物排出口より外側である領域に設けることで、投入口を空気流の流径外に位置させ、投入口から筒状部材内に投入された混合物に空気流が直接吹き付けられないようにする。これにより、混合物が中間重量物を含む場合であってもその中間重量物が投入口付近で滞留するのを防止することができる。したがって、中間重量物の滞留により軽量物の排出効率が低下したり、筒状部材内を流れる空気流が撹乱され投入口から逆流して混合物の投入が阻害されたりするのを防止することができるので、選別処理の安定性の低下を防止することができる。
【図面の簡単な説明】
【図１】本発明の風力選別機の一実施の形態の全体構造を一部断面で表す側面図である。
【図２】本発明の風力選別機の一実施の形態を図１中矢印Ａ方向から見た矢視正面図である。
【図３】本発明の風力選別機の一実施の形態を構成する本体回転ドラムの内部構造を表す図１中ＩＩＩ−ＩＩＩ断面による横断面図である。
【図４】本発明の風力選別機の一実施の形態を構成する本体回転ドラムの構造を表す図１中ＩＶ−ＩＶ断面による横断面図である。
【図５】本発明の風力選別機の一実施の形態を構成する投入ホッパと投入口との接続部の構造を表した斜視図である。
【図６】本発明の風力選別機の一実施の形態の変形例を表す正面図である。
【符号の説明】
１          本体回転ドラム（筒状部材）
３          ブロワ（送風機）
４          投入ホッパ
１９        カバー部材
２１        軽量物排出口
２２        投入口
２３ａ      流路形成ブロック
２３ｂ      流路形成ブロック
２３ｃ      流路形成ブロック
２４ａ      掻き上げ板（掻き上げ手段）
２４ｂ      掻き上げ板（掻き上げ手段）
２４ｃ      掻き上げ板（掻き上げ手段）
３５        庇部材
【図１】
2004305951.tif 000003
【図２】
2004305951.tif 000004
【図３】
2004305951.tif 000005
【図４】
2004305951.tif 000006
【図５】
2004305951.tif 000007
【図６】
2004305951.tif 000008